(57)【要約】【課題】  環境温度の変化にかかわらず、パージ後の空吸引を適切に行うことのできる空吸引方法、及び液体吐出装置を提供する。【解決手段】  パージ後の本空吸引方法は、外部環境の温度を検出する検温ステップ（Ｓ３）と、吐出ヘッド１０のノズル面１０ａをキャップ１２で覆った状態でノズル孔１０ｂからインクを吸引する吸引パージステップ（Ｓ２）と、キャップ１２内のインクをキャップ１２底部の排出孔１４を通じて外部へ空吸引する空吸引ステップ（Ｓ６）と、検温ステップにて検出した温度に応じて空吸引における吸引速度を決定する速度決定ステップ（Ｓ５）とを備える。【選択図】図３
2011051139.tif 000002
【特許請求の範囲】
【請求項１】
外部環境の温度を検出する検温ステップと、
吐出ヘッドのノズル面をキャップで覆った状態でノズル孔からその内部の液体を吸引する吸引パージステップと、
該吸引パージステップの後に、前記キャップを前記吐出ヘッドから離隔した状態で、前記キャップ内に残留する液体を該キャップ底部の排出孔を通じて外部へ空吸引する空吸引ステップと、
前記検温ステップにて検出した温度に応じて、前記空吸引における吸引速度を決定する速度決定ステップと
を備えることを特徴とする液体吐出装置のパージ後空吸引方法。
【請求項２】
ノズル面に複数のノズル孔を有する吐出ヘッドと、
前記ノズル孔を覆うキャップと、
該キャップの底部に形成された排出孔を通じて前記キャップの内部空間に負圧を生じさせる吸引手段と、
前記吐出ヘッド及び前記キャップを相対的に移動させ、前記キャップを前記ノズル孔を覆うキャッピング位置と、前記キャップが前記吐出ヘッドから離れた退避位置とに位置付ける移動手段と、
外部環境の温度を検出する温度センサと、
前記吸引手段及び前記移動手段の動作を制御する制御部とを備え、
該制御部は、前記キャップを前記キャッピング位置に位置付けた状態で前記吸引手段を作動させることで、前記ノズル内のインクを吸引するパージ動作を行わせると共に、前記パージ動作の後に、前記キャップを前記退避位置に位置付けた状態で前記吸引手段を作動させることで、前記キャップ内に残留する液体を該キャップ底部の排出孔を通じて外部へ空吸引する空吸引動作を行わせるものであり、
前記制御部は、前記空吸引動作を行わせる際に、前記温度センサにより検出された温度に応じて前記吸引手段の駆動速度を決定することを特徴とする液体吐出装置。
【請求項３】
前記制御部は、前記空吸引動作において、前記温度センサにより相対的に低い温度が検出された場合には、相対的に高い温度が検出された場合よりも、吸引速度が低速になるように前記吸引手段を駆動させることを特徴とする請求項２に記載の液体吐出装置。
【請求項４】
前記制御部は、前記空吸引動作において、前記温度センサにより相対的に低い温度が検出された場合には、相対的に高い温度が検出された場合よりも、総吸引容量が大きくなるように前記吸引手段を駆動させることを特徴とする請求項３に記載の液体吐出装置。
【発明の詳細な説明】
【技術分野】
【０００１】
本発明は、液体吐出装置が有する吐出ヘッドをキャップで覆ってパージした後、キャップ内に溜まった液体を吸引排出するための空吸引方法、及び液体吐出装置に関する。
【背景技術】
【０００２】
インクジェット式のプリンタ装置を一例とする液体吐出装置では、吐出ヘッドのノズル面に複数のノズル孔が形成され、該ノズル孔からインク等の液体を吐出する。長い不使用期間を経て使用する場合には、ノズル孔内に残留している劣化した液体を廃棄するため、吸引ポンプによって残留液体を吸い出すパージ処理が行われる（特許文献１，２参照）。
【０００３】
特許文献１，２では、このパージ処理のため、ノズル面をキャップで覆う構成を備えており、更に該キャップの底部に形成された排出孔と吸引ポンプとがインク流路で接続されている。そして、ノズル孔を内包するようにしてノズル面をキャップで覆った状態で、吸引ポンプを駆動してキャップ内に負圧を生じさせることにより、ノズル孔内の液体をキャップ内へ吸い出すパージ処理が行われる。
【０００４】
また、パージ処理によりキャップ内に溜まった液体をそのまま残しておくと、次にパージ処理を行うときのキャップ内の液体収容能力が低下してしまう他、キャップ底部の排出孔やインク流路が目詰まりし、次回以降にパージ処理を適切に実行できなくなる可能性がある。そのため、特許文献１，２では、パージ処理を終えた後に、ノズル面からキャップが離された状態で吸引ポンプを駆動（空吸引）することにより、チューブを通じてキャップ内に溜まった液体をキャップ外へ排出している。
【先行技術文献】
【特許文献】
【０００５】
【特許文献１】特開２００７−３３１２６号公報
【特許文献２】特開２００９−１８４４７号公報
【発明の概要】
【発明が解決しようとする課題】
【０００６】
ところで、空吸引する場合にその吸引速度（即ち、単位時間当たりのポンプ吸引量）が適切でないと、キャップの内底部に溜まった液体の液面に、排出孔に連通する開口が形成される場合がある。このような事象は、液体の粘性（流動性）とポンプの吸引速度とに起因していると考えられる。
【０００７】
例えば液体の粘性が高い（流動性が小さい）ときに、相対的に大きい吸引速度で空吸引すると、排出孔近傍の液体のみがその周辺の液体から分離して排出され、周辺の液体が取り残されるため、液面に排出孔に続く開口が形成されると考えられる。そして、このような開口が形成されると、吸引ポンプを空吸引駆動してもこの開口を通じてエアばかりが吸引されてしまう。また、一旦開口を通じてエアが吸引されはじめると、該エアの通流によって周囲の液体が開口を塞ぐ方向へ移動するのを阻害してしまい、開口が塞がれにくくなるため、エアのみを吸引する期間が長くなってキャップ内の液体を効率的に排出することが困難になる。
【０００８】
また、液体吐出装置が使用される温度環境は様々であり、比較的低温の環境で使用されることもあれば、対称的に比較的高温の環境で使用されることもある。そして、使用される温度環境によって液体（特に、インク）の粘性は変化するため、空吸引時の吸引速度を一定にしてしまうと、例えば低温の環境下で使用する場合に、適切に空吸引ができない可能性がある。なお、このような事情は、インクを吐出するプリンタ装置に限られず、他の液体を吐出する液体吐出装置においても同様のことがいえる。
【０００９】
そこで本発明は、環境温度の変化にかかわらず、パージ後の空吸引を適切に行うことのできる空吸引方法、及び液体吐出装置を提供することを目的とする。
【課題を解決するための手段】
【００１０】
本発明に係る液体吐出装置のパージ後空吸引方法は、外部環境の温度を検出する検温ステップと、吐出ヘッドのノズル面をキャップで覆った状態でノズル孔からその内部の液体を吸引する吸引パージステップと、該吸引パージステップの後に、前記キャップを前記吐出ヘッドから離隔した状態で、前記キャップ内に残留する液体を該キャップ底部の排出孔を通じて外部へ空吸引する空吸引ステップと、前記検温ステップにて検出した温度に応じて、前記空吸引における吸引速度を決定する速度決定ステップとを備えている。
【００１１】
このような構成とすることにより、外部の温度環境に応じて適切な吸引速度をもって空吸引し、キャップ内に溜まった液体を確実に排出することができる。
【発明の効果】
【００１２】
本発明によれば、外部の温度環境にかかわらず、パージ後の空吸引によってキャップ内の液体を適切に排出することができる空吸引方法及び液体吐出装置を提供することができる。
【図面の簡単な説明】
【００１３】
【図１】液体吐出装置たるプリンタ装置の要部を示す模式的平面図である。
【図２】プリンタ装置のメンテナンスに関係する構成を示す模式図である。
【図３】プリンタ装置による空吸引動作を説明するためのフローチャートである。
【図４】検出した環境温度とこれに応じて決定される吸引ポンプの吸引速度との相関関係、及び後述する環境温度とこれに応じて決定される吸引ポンプの総吸引容量との相関関係の、各一例を示すグラフである。
【図５】キャップ内のインクを空吸引している途中の状態を示す模式図であり、（ａ）は環境温度に関係なく比較的高速で空吸引した場合の比較例を示し、（ｂ）は本実施の形態に係る動作実行時の実施例を示している。
【図６】プリンタ装置による他の空吸引動作を説明するためのフローチャートである。
【図７】プリンタ装置の更に他の空吸引動作を説明するためのフローチャートである。
【発明を実施するための形態】
【００１４】
以下、本発明の実施の形態に係る液体吐出装置及びそのパージ後空吸引方法について、液体吐出装置の一例であるインクジェット式のプリンタ装置（以下、「プリンタ装置」と称する）に適用したとき場合を例にとり、図面を参照しつつ説明する。但し、本発明はプリンタ装置への適用に限定されるものではなく、インク以外の液体を吐出する液体吐出装置全般に対しても適用できることを付言しておく。
【００１５】
［プリンタ装置の全体構成］
図１は、液体吐出装置たるプリンタ装置１の要部を示す模式的平面図である。図１に示すように、プリンタ装置１は、左右方向へ延びる一対のガイドレール２，３が略平行に配設されており、このガイドレール２，３に液体供給ユニット４が走査方向にスライド可能に支持されている。ガイドレール３の左右の端部付近には一対のプーリ５，６が設けられ、液体供給ユニット４は、このプーリ５，６に巻き掛けられたタイミングベルト７に接合されている。一方のプーリ６には正逆回転駆動するモータ（図示せず）が設けられており、そのプーリ６が正逆回転駆動することでタイミングベルト７が左方向及び右方向へと往復移動可能になっており、これに伴って液体供給ユニット４がガイドレール２，３に沿って左右方向へ往復走査される。
【００１６】
プリンタ装置１には、４つのインクカートリッジ８が交換のために挿脱可能にして装着されている。そして、液体供給ユニット４には、これらのインクカートリッジ８から４色の有色インク（例えば、ブラック、シアン、マゼンダ、イエロー）を夫々供給すべく、可撓性を有する４本のインク供給チューブ９が接続されている。液体供給ユニット４の下部には平面視矩形状の吐出ヘッド１０（図２参照）が搭載されており、その下方で走査方向と直角する方向（紙送り方向）に搬送される被記録体（例えば、記録用紙）に向けて吐出ヘッド２からインク（液体）を吐出し、この被記録体に画像を形成することができるようになっている。
【００１７】
また、液体供給ユニット４の走査可能範囲の一端にはメンテナンスポジション１１（図１中に二点鎖線で示す位置）が設定されており、その下方には、パージ処理を行う際に使用されるキャップ１２が配設されている。プリンタ装置１は、長期の不使用期間を経て再使用される場合などに、液体供給ユニット４をメンテナンスポジション１１に位置させ、ここでパージ処理等を実行する。
【００１８】
［メンテナンスに関する構成］
図２は、プリンタ装置１のメンテナンスに関係する構成を示す模式図である。図２に示すように、プリンタ装置１は、メンテナンスポジション１１に位置する吐出ヘッド１０の下方にキャップ１２を備えている。該キャップ１２は、平面視では吐出ヘッド１０を一回り小さくした矩形状を成しており、底壁部１２ａの四辺からは周壁部１２ｂが立設され、底壁部１２ａ及び周壁部１２ｂに囲まれた内部空間が液体貯留スペース１３となっている。
【００１９】
このようなキャップ１２には昇降機構（移動手段）２０が接続されており、吐出ヘッド１０の下面のノズル面１０ａに周壁部１２ｂの上端部が当接する上方位置（キャッピング位置）と、該ノズル面１０ａから離隔する下方位置（退避位置）との間を、昇降動可能になっている。なお、キャップ１２が上方位置でノズル面１０ａに当接しているとき、ノズル面１０ａに形成された液体吐出用の複数のノズル孔１０ｂは、周壁部１２ｂに囲まれるようにしてキャップ１２に内包された状態（液体貯留スペース１３に向けて開口した状態）となる。
【００２０】
また、キャップ１２の底壁部１２ａには、これを貫通する排出孔１４が形成されている。該排出孔１４には可撓性の吸引チューブ１５の一端が接続され、他端には吸引ポンプ（吸引手段）１６が接続されている。従って、吸引ポンプ１６が駆動すると、吸引チューブ１５を介してキャップ１２の液体貯留スペース１３に負圧を生じさせることができる。また、吸引ポンプ１６としては、吸引速度（単位時間当たりのポンプ吸引量）を変更可能なものであれば適宜選択することができ、本実施の形態では公知のチューブポンプを採用している。
【００２１】
なお、チューブポンプについて付言しておくと、該チューブポンプは、上記吸引チューブ１５の他端が巻回されて周部に圧子を有するロータ（図示せず）と、該ロータを回転駆動するモータ（図示せず）とから構成されている。そして、ロータの回転と共に圧子による吸引チューブ１５の局所的な押圧箇所が移動することによって、吸引チューブ１５内のインクをチューブポンプ側へ吸引できるようになっている。また、このような構成ゆえに、チューブポンプは、非動作時においても吸引チューブ１５内のインクの移動を阻止することができ、キャップ１２側への逆流を防止可能になっている。
【００２２】
一方、図２に示すように、プリンタ装置１は制御部２１を備えている。該制御部２１は、図示しないＭＰＵと、ＰＲＯＭ（Programmable Read-Only Memory）やマスクＲＯＭなどから成るＲＯＭと、ＲＡＭとを備えている。そして該制御部２１には、上記吸引ポンプ１６と吐出ヘッド１０近傍の環境温度を検出する温度センサ１７と昇降機構２０とが接続されている。ＲＯＭには、プリンタ装置１が、少なくとも本実施の形態において説明する空吸引動作を含むメンテナンス動作を実行するのに必要なプログラム及びデータを記録している。また、ＲＡＭには、温度センサ１７にて検出された温度に関する情報が一時的に記録される。そして、ＭＰＵが、ＲＯＭに記録されたデータやＲＡＭに記録された情報を参照しつつ、ＲＯＭに記録された所定のプログラムを実行することにより、制御部２１は、後述するパージ処理を実行するパージ実行部２１ａ、及び空吸引処理を実行する空吸引実行部２１ｂとしてプリンタ装置１を機能させ、更に空吸引実行部２１ｂは、空吸引処理に必要な吸引速度決定部２１１及び吸引容量決定部２１２としてプリンタ装置１を機能させる。また、上述した昇降機構２０も制御部２１によってその動作が制御され、駆動することによってキャップ１２を上方のキャッピング位置と下方の退避位置との間で昇降動可能になっている。
【００２３】
［空吸引動作（１）］
図３は、上述したプリンタ装置１による空吸引動作を説明するためのフローチャートである。図３に示すように、空吸引動作を含むメンテナンス実行時には、はじめに液体供給ユニット４をメンテナンスポジションに位置させる（ステップＳ１）。次に、昇降機構２０を駆動してキャップ１２を上方のキャッピング位置へ上昇させ、吐出ヘッド１０のノズル面１０ａをキャップ１２により覆い、この状態で吸引ポンプ１６を所定速度で所定量だけ駆動してパージ処理を行う（ステップＳ２）。このパージ処理は、制御部２１がパージ実行部２１ａとしてプリンタ装置１を機能させることによって実現され、この処理によって、キャップ１２の液体貯留スペース１３には所定量のインクが排出される。なお、パージ処理を実行するに際しては、吸引ポンプ１６の駆動によって行うのに代えて、吐出ヘッド１０に設けられたインク吐出用のアクチュエータ（図示せず）を駆動することによって実行してもよい。パージ処理を終えると、再び昇降機構２０を駆動してキャップ１２を降下させてノズル面１０ａから所定距離だけ退避位置までリリースさせる（ステップＳ３）。
【００２４】
次に、温度センサ１７によって吐出ヘッド１０近傍の環境温度を検出し（ステップＳ４）、検出した温度に基づいて空吸引のための吸引ポンプ１６の動作条件として、吸引速度を決定する（ステップＳ５）。但し、環境温度を検出する処理（ステップＳ４）は、図３に示すようにキャップ１２のリリース動作（ステップＳ３）の後に実行する形態に限られず、例えばパージ処理（Ｓ２）の最中に実行してもよい。
【００２５】
図４は、検出した環境温度とこれに応じて決定される吸引ポンプ１６の吸引速度との相関関係３０、及び後述する環境温度とこれに応じて決定される吸引ポンプ１６の総吸引容量との相関関係３１の、各一例を示すグラフである。図４の環境温度と吸引速度との相関関係３０に示すように、環境温度が相対的に低い場合には、インクの粘性が高い（流動性が小さい）ため、吸引速度を小さくすることが好ましい。従って、ステップＳ５の処理では、環境温度が相対的に低い場合には吸引速度を小さい値とし、環境温度が相対的に高い場合には吸引速度を大きい値とする。このような吸引速度を決定する処理は、制御部２１が吸引速度決定部２１１としてプリンタ装置１を機能させることによって実行される。
【００２６】
なお、具体的な速度を決定するにあたっては、キャップ１２の排出孔１４の径、吸引チューブ１５の内径、パージ処理によりキャップ１２内に廃棄されるインクの量（深さ）なども因子となり得るため、これらの因子を考慮した温度と吸引速度との関係を示す相関データを予めＲＯＭに記録しておき、検出した温度と該相関データとから吸引速度を決定すればよい。また、上記因子の影響について一例をあげると、一定温度条件下において、排出孔１４の径や吸引チューブ１５の内径が小さいほど、また、パージ処理によるインク廃棄量が少ない（キャップ１２に溜まるインクが浅い）ほど、吸引速度を小さくすることが好ましい。
【００２７】
再び図３の動作フローに戻ると、吸引速度を決定する処理（ステップＳ５）を終えると、ここで決定された吸引速度により吸引ポンプ１６を駆動して空吸引を実行する（ステップＳ６）。この空吸引処理は、制御部２１が空吸引実行部２１ｂとしてプリンタ装置１を機能させることにより実現される。これにより、キャップ１２の液体貯留スペース１３内のインクは、排出孔１４を通じて吸引・排出される。そして、例えば所定時間が経過した時点、又は所定容量の吸引を終えた時点で、当該空吸引動作を終了する（ステップＳ７）。
【００２８】
このような空吸引動作を実行することにより、パージ後にキャップ１２内に溜まったインクを、排出孔１４から確実に吸引・排出することができる。図５は、本実施の形態に係る空吸引動作による作用効果を説明すべく、キャップ１２内のインクを空吸引している途中の状態を示す模式図であり、（ａ）は環境温度に関係なく比較的高速で空吸引した場合の比較例を示し、（ｂ）は本実施の形態に係る動作実行時の実施例を示している。
【００２９】
図５（ａ）に示すように、比較的高速で吸引ポンプ１６を駆動して空吸引した場合、排出孔１４の直上の液面に開口３５が形成され、該開口３５と排出孔１４とが連通した状態となる。この場合、更に吸引ポンプ１６が駆動しても、排出孔１４へは開口３５を通じて吸入抵抗の小さいエアが吸引されてしまい、周辺のインクが吸引されにくくなっている。これに対して図５（ｂ）に示す本実施例の場合、環境温度に応じた適切な吸引速度により空吸引を行うため、液面に排出孔１４へ通じる開口３５が形成されない。従って、排出孔１４へエアが吸引されることなく、キャップ１２内のインクは効率的に排出孔１４へ向かって移動して吸引される。
【００３０】
［空吸引動作（２）］
図６は、プリンタ装置１による他の空吸引動作を説明するためのフローチャートである。図６に示す動作では、図３に示したステップＳ１〜Ｓ５の動作と同じ内容のステップＳ１１〜Ｓ１５の動作が実行される。次に、ステップＳ１５において吸引ポンプ１６の動作条件である吸引速度を決定した後、ステップＳ１４で検出した環境温度に基づき、空吸引のための吸引ポンプ１６のもう一つの動作条件として、総吸引容量を決定する（ステップＳ１６）。
【００３１】
図４のグラフにおいて、環境温度と総吸引容量との相関関係３１に示すように、環境温度が相対的に低い場合には、インクの粘性が高い（流動性が小さい）ため、吸引ポンプ１６による総吸引容量を多くすることが好ましい。従って、ステップＳ１６の処理では、環境温度が相対的に低い場合には総吸引容量を大きい値とし、環境温度が相対的に高い場合には総吸引容量を小さい値とする。なお、総吸引容量を決定するにあたっては、具体的には吸引ポンプ（ここではロータを有するチューブポンプ）の総回転数（総回転角度）を決定すればよい。このような総吸引容量を決定する処理は、制御部２１が吸引容量決定部２１２としてプリンタ装置１を機能させることによって実行される。
【００３２】
そして、ステップＳ１５にて決定した吸引速度により吸引ポンプ１６を駆動して空吸引を実行し（ステップＳ１７）、ステップＳ１６にて決定した総吸引容量を吸引した時点で空吸引を終了する（ステップＳ１８）。
【００３３】
このような空吸引動作を実行することにより、パージ後にキャップ１２内に溜まったインクを、排出孔１４からより確実に吸引・排出することができる。なお、図６では、吸引速度を決定する処理（ステップＳ１５）の後に総吸引容量を決定する処理（ステップＳ１６）を実行する例を示したが、これらの決定処理は逆順に実行してもよい。
【００３４】
［空吸引動作（３）］
図７は、プリンタ装置１の更に他の空吸引動作を説明するためのフローチャートである。図７に示す動作では、図６に示したステップＳ１１〜Ｓ１３，Ｓ１４〜Ｓ１８の動作と同じ内容のステップＳ２１〜Ｓ２３，Ｓ２５〜Ｓ２９の動作を含んでいるが、図６の場合と異なり、キャップ１２をリリース（ステップＳ２３）した後に所定時間だけ吸引ポンプ１６を高速駆動する処理（ステップＳ２４）が設定されている。
【００３５】
ノズル面１０ａからキャップ１２をリリースする際、先のパージ処理（ステップＳ２２）によってキャップ１２内に排出されたインクがノズル面１０ａの一部に付着し、ノズル面１０ａとキャップ１２との間に跨っていわゆるインクブリッジを形成することがある。従って、キャップ１２をリリースした後に吸引ポンプ１６を所定時間だけ高速駆動（ステップＳ２４）することにより、インクをノズル面１０ａから早期に切り離し、インクブリッジを消滅させることができる。
【００３６】
なお、ステップＳ２４での吸引ポンプ１６の駆動条件は、時間で設定するのに限定されず、本実施の形態に係るチューブポンプにあっては回転数（回転角度）によって設定してもよい。また、駆動する速度については、少なくとも空吸引（ステップＳ２８）での吸引ポンプ１６の吸引速度より大きい速度であればよく、環境温度にかかわらず一定とすることができる。
【００３７】
但し、環境温度に応じてステップＳ２４での吸引速度を変更するようにしてもよく、この場合には、ステップＳ２４の処理を、環境温度を検出する処理（ステップＳ２５）以降であって空吸引動作の処理（ステップＳ２８）までに実行すればよい。また、図３のフローチャートで説明した場合のように、総吸引容量を決定するステップＳ２７は省略することも可能である。
【産業上の利用可能性】
【００３８】
本発明は、外部の温度環境にかかわらず、パージ後の空吸引によってキャップ内の液体を適切に排出することができる空吸引方法及び液体吐出装置に適用することができる。
【符号の説明】
【００３９】
１    プリンタ装置（液体吐出装置）
１０  吐出ヘッド
１２  キャップ
１４  排出孔
１６  吸引ポンプ（吸引手段）
１７  温度センサ
２０  昇降機構（移動手段）
２１  制御部
【図１】
2011051139.tif 000003
【図２】
2011051139.tif 000004
【図３】
2011051139.tif 000005
【図４】
2011051139.tif 000006
【図５】
2011051139.tif 000007
【図６】
2011051139.tif 000008
【図７】
2011051139.tif 000009